(57)【要約】【課題】使用者の手を煩わすことなく、液晶ディスプレイ装置の映像を表示する表示面に付着する塵、埃などを除去することができ、表示面に表示される映像が鮮明になることで、使用者が快適に映像を鑑賞することができる液晶ディスプレイ装置を提供する。【解決手段】筐体２内に配置支持され、表示面３ａが筐体２の開口部８ａに露出する液晶表示部３と、流出空気流が表示面３ａを流れるように筐体２に設けた空気吹き出し口１０と、空気吹き出し口１０から空気を吹き出すように筐体２内に設けたファンモータ５とを備えた。【選択図】図１
2010266735.tif 000002
【特許請求の範囲】
【請求項１】
筐体内に配置支持され、表示面が前記筐体の開口部に露出する液晶表示部と、
流出空気流が前記表示面を流れるように前記筐体に設けた空気吹き出し口と、
前記空気吹き出し口から空気を吹き出すように前記筐体内に設けたファンモータとを備えた液晶ディスプレイ装置。
【請求項２】
前記ファンモータは、風向を移動することにより、前記筐体内に発生する熱を除去する放熱動作と、前記表示面に付着する塵を除去する防塵動作とを切り替えることを特徴とする請求項１記載の液晶ディスプレイ装置。
【請求項３】
前記筐体と前記液晶表示部との間に前記空気吹き出し口に連通するチャンバーを備え、
前記ファンモータは前記チャンバー内に空気を送り込むことを特徴とする請求項１または請求項２記載の液晶ディスプレイ装置。
【発明の詳細な説明】
【技術分野】
【０００１】
この発明は、例えば車両等に設置される液晶ディスプレイ装置において、表示面に付着する塵、埃などを除去する防塵機能を備えた液晶ディスプレイ装置に関するものである。
【背景技術】
【０００２】
近年、車載情報機器において、情報ソースの多様化の影響を受け、より高機能・高付加価値のある情報機器が求められている。その要求に応えるため座席のヘッドレストに液晶ディスプレイ装置を配置して、ＤＶＤ（Digital Versatile Disc）映像などの情報ソースを表示することで、使用者に対して情報を提供することを可能としてきた。
【０００３】
このように座席のヘッドレストなどに設置される液晶ディスプレイ装置では、ＤＶＤ映像などの情報ソースを表示するための表示面を筐体の外部に露出させて構成している。または表示面の外側に、表示面を保護するための透明の保護カバーを取り付けて構成している（例えば、特許文献１参照）。
【先行技術文献】
【特許文献】
【０００４】
【特許文献１】実公昭６３−３１０８０号公報
【発明の概要】
【発明が解決しようとする課題】
【０００５】
しかしながら、液晶ディスプレイ装置の表示面が筐体の外部に露出して設置される場合、または特許文献１に開示されるように、表示面の外側に保護カバーが取り付けられる場合のいずれの場合にしても、使用者が液晶ディスプレイ装置の表示面を視聴しているか否かに関わらず、表示面または保護カバーは外部に露出しているため、常に空気中の塵、埃などに曝されることになる。その結果、時間の経過と共に、表示面または保護カバーの表面に塵、埃などが付着し、表示面に表示される映像が不鮮明となる。そのため、使用者は定期的に表示面または保護カバーに付着した塵、埃を除去する必要があるという課題があった。
【０００６】
この発明は、上記のような課題を解決するためになされたもので、使用者の手を煩わすことなく、液晶ディスプレイ装置の表示面に付着する塵、埃などを除去することができ、表示面に表示される映像を鮮明にすることで、使用者が快適に映像を視聴することができる液晶ディスプレイ装置を提供することを目的としている。
【課題を解決するための手段】
【０００７】
この発明に係る液晶ディスプレイ装置は、筐体内に配置支持され、表示面が筐体の開口部に露出する液晶表示部と、流出空気流が表示面を流れるように筐体に設けた空気吹き出し口と、空気吹き出し口から空気を吹き出すように筐体内に設けたファンモータとを備えたものである。
【発明の効果】
【０００８】
この発明によれば、上記のように構成したので、筐体の空気吹き出し口から吹き出す空気流によって、液晶ディスプレイ装置の映像を表示する表示面に付着する塵、埃などを除去することができるため、使用者が表示面に付着する塵、埃などを除去する必要はなくなる。また、表示面に表示される映像を鮮明にすることができ、使用者は快適に映像を視聴することができる。
【図面の簡単な説明】
【０００９】
【図１】この発明の実施の形態１に係る液晶ディスプレイ装置の構成を示す断面図である。
【図２】この発明の実施の形態１に係る液晶ディスプレイ装置の構成を示す正面図である。
【発明を実施するための形態】
【００１０】
以下、この発明の実施の形態について図面を参照しながら詳細に説明する。
実施の形態１．
図１はこの発明の実施の形態１に係る液晶ディスプレイ装置１の構造を示す断面図である。図１（ａ）はファンモータ５が放熱動作を行うときの断面図であり、図１（ｂ）はファンモータ５が防塵動作を行うときの断面図である。また、図２はこの発明の実施の形態１に係る液晶ディスプレイ装置１の構造を示す正面図である。
【００１１】
液晶ディスプレイ装置１は、図１に示すように、筐体２、液晶表示部３、隔壁４、ファンモータ５、回動アーム６及び基板７により構成されている。
【００１２】
筐体２は、図１，２に示すように、内部に空間を有し、その外形が略直方体形状に構成されるものである。この筐体２はフロントパネル８及びリアパネル９を組み合わせることにより構成される。
【００１３】
フロントパネル８は、図１に示すように、内部に液晶表示部３を配置支持するものであり、プラスチックにより形成される。このフロントパネル８の中央には、液晶表示部３の表示面３ａを外部に露出させるための開口部８ａが形成される。この開口部８ａは液晶表示部３よりも小さく形成され、その端部は内側に折り曲げられ、フロントパネル８内部に設置される液晶表示部３を支持する。
【００１４】
また、この開口部８ａには、図２に示すように、所定の間隔をおいてスリットが形成されることにより、流出空気流が液晶表示部３の表示面３ａを流れるようにするための空気吹き出し口１０が複数設けられる。
【００１５】
リアパネル９は、図１に示すように、内部にファンモータ５及び電気回路等の基板７等を収納するものであり、プラスチックにより形成される。このリアパネル９の背面には筐体２内の放熱を行うための給気孔９ａ及び排気孔９ｂが形成される。
【００１６】
液晶表示部３は、その表示面３ａにＤＶＤ映像などの情報ソースを表示するためのものであり、例えばＬＣＤ（Liquid Crystal Display）により構成される。この液晶表示部３は、図１に示すように、液晶表示部３の表示面３ａがフロントパネル８に形成される開口部８ａに露出するように筐体２内に配置支持される。ここで、この液晶表示部３の表示面３ａは常に外部に露出した状態であるため、時間の経過と共に、静電気等により塵、埃などが付着する。
【００１７】
隔壁４は、図１に示すように、液晶表示部３の背面及びフロントパネル８に形成される空気吹き出し口１０を覆うように設けることで、筐体２と液晶表示部３との間に空気吹き出し口１０に連通するチャンバー４ａを形成するものである。また、この隔壁４には、図１（ｂ）に示すように、ファンモータ５が当接する部分に、ファンモータ５から送られる空気をチャンバー４ａ内に通すための通気孔４ｂが形成される。
【００１８】
ファンモータ５は、不図示のモータによりファンを駆動させて空気を送込むものであり、図１，２に示すように、リアパネル９内の上部に設けられる設置板１１の下部に２つ設けられている。また、このファンモータ５は、ファンモータ５の風向を制御するための回動アーム６を備えている。
【００１９】
回動アーム６は、不図示のモータにより、回転軸６ａを中心に回動することによりファンモータ５を回動させ、ファンモータ５の風向を移動させるためのものである。ファンモータ５は、この回動アーム６により、設置板１１の下面に当接して筐体２内に空気を送込む状態と隔壁４の通気孔４ｂに当接してチャンバー４ａ内に空気を送込む状態に切り替えられる。ここで、この回動アーム６は、不図示の制御器により駆動し、ファンモータ５と当接する隔壁４及び設置板１１に設けられる不図示の検知センサによる検知信号を不図示の制御器が受け取ることにより隔壁４または設置板１１に当接した状態で停止する。
【００２０】
ここで、図１（ａ）に示すように、回動アーム６が回動することにより、ファンモータ５を設置板１１の下面に当接させて筐体２内に空気を送込ませる場合では、ファンモータ５は、リアパネル９の給気孔９ａから取込んだ空気を筐体２内に送込むことで、筐体２内部に発生する熱、特に電子回路等の基板７部分で発生する熱を排気孔９ｂから排出する放熱動作を行う。
【００２１】
一方、図１（ｂ）に示すように、回動アーム６が回動することにより、ファンモータ５を隔壁４の通気孔４ｂに当接させてチャンバー４ａ内に空気を送込ませる場合では、ファンモータ５は、チャンバー４ａ内に空気を充填させることで、このチャンバー４ａ内が陽圧となり、フロントパネル８の開口部８ａ全周に形成される複数の空気吹き出し口１０から液晶表示部３の表示面３ａに向けて空気が吹き出される。このようにして同時に上下左右方向から液晶表示部３の表示面３ａに空気を吹き出すことで、液晶表示部３の表示面３ａに付着する塵、埃などを除去する防塵動作を行う。
【００２２】
次いで、上記のように構成される液晶ディスプレイ装置１の動作について説明する。
まず、液晶ディスプレイ装置１が起動されると、液晶表示部３の表示面３ａにＤＶＤ映像などの情報ソースが表示される。このとき、筐体２内に設けられるファンモータ５は、設置板１１の下面に当接した状態に配置される。この状態において、ファンモータ５は、不図示のモータによりファンを駆動し、給気孔９ａから取込んだ空気を筐体２内に設置されている基板７に向けて送風することにより、筐体２内で発生する熱を排気孔９ｂから排出させる放熱動作を行う。
【００２３】
次いで、不図示の制御器は、例えばＤＶＤ再生を停止した場合などのように、使用者が液晶表示部３の表示面３ａを視聴していないと判断すると、ファンモータ５を保持する回動アーム６を不図示のモータにより回動させることにより、ファンモータ５を設置板１１の下面に当接した状態から隔壁４の通気孔４ｂに当接する状態に切り替える。
【００２４】
次いで、ファンモータ５が隔壁４の通気孔４ｂに当接した状態において、ファンモータ５は、隔壁４により形成されるチャンバー４ａ内に空気を送込む。このファンモータ５により送込まれた空気がチャンバー４ａ内に充填すると、チャンバー４ａ内は陽圧となり、フロントパネル８の開口部８ａ全周に設けられた複数の空気吹き出し口１０から液晶表示部３の表示面３ａに向けて空気が吹き出される。この上下左右方向から同時に吹き出された空気により、液晶表示部３の表示面３ａに付着した塵、埃などを除去する防塵動作を行う。
【００２５】
次いで、不図示の制御器は、ファンモータ６により液晶表示部３の表示面３ａに対する防塵動作を一定時間行った後、回動アーム６を逆方向に回動させる。これにより、ファンモータ５は、隔壁４の通気孔４ｂに当接した状態から設置板１１の下面に当接した状態に切換えられることにより、筐体２内に発生する熱を除去する放熱動作に移行する。
【００２６】
以上のように、この実施の形態１によれば、流出空気流が液晶表示部３の表示面３ａを流れるように筐体２に空気吹き出し口１０を設け、空気吹き出し口１０から空気を吹き出すように筐体２内にファンモータ５を設けるように構成したので、筐体２の空気吹き出し口１０から吹き出す空気流によって、常に外部に露出している液晶表示部３の表示面３ａに付着する塵、埃などを除去することができるため、使用者が定期的に液晶表示部３の表示面３ａに付着する塵、埃などを除去する必要はなくなる。また、液晶表示部３の表示面３ａに表示される映像は鮮明になるので、使用者は快適に映像を視聴することができる。
【００２７】
また、この発明の実施の形態１に係る液晶ディスプレイ装置１のファンモータ５では、筐体２内の放熱を目的として通常設置されているファンモータを利用して、このファンモータの風向を制御することができる回動アーム６を備えることで、放熱動作と防塵動作を切り替えるように構成したので、簡易な構造で、防塵動作と放熱動作の２つの動作を行うことができる。
【００２８】
また、この発明の実施の形態１に係る液晶ディスプレイ装置１では、筐体２と液晶表示部３との間に空気吹き出し口１０に連通するチャンバー４ａを構成したので、このチャンバー４ａ内にファンモータ５から送り込まれる空気が充填して、チャンバー４ａ内が陽圧となり、フロントパネル８の開口部８ａ全周に設けられた複数の空気吹き出し口１０から空気が吹き出されることにより、同時に上下左右方向から空気を吹き出すことができ、液晶表示部３の表示面３ａに対する防塵の効果を高めることができる。
【００２９】
また、この発明の実施の形態１に係る液晶ディスプレイ装置１では、ファンモータ５による液晶表示部３の表示面３ａに対する防塵動作は、例えばＤＶＤ再生を停止した場合などのように、使用者が液晶ディスプレイ装置１を視聴していないときに行うように構成したので、このファンモータ５の防塵動作により、使用者が不快に感じることはない。
【００３０】
なお、この発明の実施の形態１に係る液晶ディスプレイ装置１では、ファンモータ５による防塵動作は、使用者が液晶ディスプレイ装置１を視聴していないときに自動で行われるものとして説明したが、これに限るものではなく、例えば、使用者が不図示の操作ボタンを押下することにより、このファンモータ５による防塵動作を任意に行うことを可能にしても良い。
【００３１】
また、この発明の実施の形態１に係る液晶ディスプレイ装置１では、ファンモータ５による放熱動作及び防塵動作は不図示のモータにより回動アーム６を回動させて切り替えるものとしたが、これに限るものではなく、例えばレバーにより手動でファンモータ５の位置を移動させ、放熱動作と防塵動作を切り替えるように構成しても良い。
【００３２】
また、この発明の実施の形態１に係る液晶ディスプレイ装置１では、１つのファンモータ５を用いて放熱動作と防塵動作の２つの動作を行わせるように構成したが、放熱動作を行うファンモータと防塵動作を行うファンモータをそれぞれ別の専用のファンモータにより構成しても良い。
【００３３】
また、この発明の実施の形態１に係る液晶ディスプレイ装置１では、筐体２内部に２つのファンモータ５を取り付けて説明したが、これに限るものではなく、筐体２内に取付けられるファンモータ５の数は、液晶表示部３のサイズなどを考慮して、１個、または３つ以上配置してもよい。
【００３４】
また、この発明の実施の形態１に係る液晶ディスプレイ装置１では、空気吹き出し口１０は、フロントパネル８の開口部８ａに所定の間隔をおいてスリットを形成することにより複数設けたが、これに限るものではなく、フロントパネル８の開口部８ａと液晶表示部３との間にすき間を形成することにより空気吹き出し口１０を設けるように構成してもよい。
【００３５】
また、この発明の実施の形態１に係る液晶ディスプレイ装置１では、フロントパネル８の開口部８ａ全周に空気吹き出し口１０を設けることにより、液晶表示部３の表示面３ａに上下左右方向から空気を吹き出すように構成したが、これに限るものではなく、例えば、空気吹き出し口を開口部３ａの上側のみに設け、空気を重力方向にしたがって、吹き降ろすように構成しても良い。この場合、ファンモータ５から送込まれる空気を開口部８ａの上側に設けた空気吹き出し口１０から吹き出すのみでよく、チャンバー４ａは不要であるため、簡易な構造により構成することができる。
【符号の説明】
【００３６】
１  液晶ディスプレイ装置、２  筐体、３  液晶表示部、３ａ  表示面、４  隔壁、４ａ  チャンバー、４ｂ  通気孔、５  ファンモータ、６  回動アーム、６ａ  回転軸、７  基板、８  フロントパネル、８ａ  開口部、９  リアパネル、９ａ  給気孔、９ｂ  排気孔、１０  空気吹き出し口、１１  設置板。
【図１】
2010266735.tif 000003
【図２】
2010266735.tif 000004